(57)【要約】【課題】脱落スリーブを用いることなくころの内径側への脱落を防止することができるころ軸受を提供する。【解決手段】ころ軸受１０は、円筒状の保持器本体１１の周方向に沿って複数のポケット１２が形成されると共に該保持器本体１１の軸方向両端部からそれぞれ径方向内方に一対のフランジ部１３，１３　が延設された保持器１４と、各ポケット１２に転動可能に保持されるころ１５とを備えている。両フランジ部１３，１３　には、ポケット１２，１２　間の各柱部１６に対応する先端縁部分を軸方向内方に向かって突出するように曲げ形成し、ころ１５の転動面より外側の両端部分である境部１５ａ　を保持する保持部２０が形成されている。【選択図】　　　図１
2004076801.tif 000002
【特許請求の範囲】
【請求項１】
円筒状の保持器本体の周方向に沿って複数のポケットが形成されると共に該保持器本体の軸方向両端部からそれぞれ径方向内方に一対のフランジ部が延設された保持器と、前記各ポケットに転動可能に保持されるころとを備えたころ軸受であって、
前記両フランジ部には、前記ポケット間の柱部に対応する先端縁部分を軸方向内方に向かって突出するように曲げ形成し、前記ころの転動面より外側の両端部分を保持する保持部が形成されていることを特徴とするころ軸受。
【発明の詳細な説明】
【０００１】
【発明の属する技術分野】
本発明はころ軸受に関し、特に、内外輪を備えていないころ軸受の改良に関する。
【０００２】
【従来の技術】
従来、負荷容量を大きくする為に内外輪を備えていないころ軸受としては、例えば図５及び図６に示したころ軸受１がある。
このころ軸受１は、円筒状の保持器本体２の周方向に沿って複数のポケット３が形成されると共に該保持器本体２の軸方向両端部からそれぞれ径方向内方に一対のフランジ部４，４が延設された保持器５と、前記各ポケット３に転動可能に保持されるころ６とを備えている。
【０００３】
前記保持器５の各ポケット３の周方向幅は、前記ころ６の直径寸法よりも小さくなっており、各ころ６が保持器５の外側に抜け出すことはない。
ところが、前記保持器５の両フランジ部４，４間の内幅寸法は、前記ころ６の軸方向長さより若干長くなっており、軸に組み込まれるまでは各ころ６は保持器５の内側に脱落してしまう。
【０００４】
そこで、前記ころ軸受１を軸に組み込む直前までは、内径側に脱落防止スリーブ７を嵌め込んで、前記ころ５が保持器５の内径側に脱落するのを防止するようにしている。
【０００５】
【発明が解決しようとする課題】
しかしながら、上述の如き従来のころ軸受１においては、組み込み時に前記脱落防止スリーブ７を外す手間がかかり、作業効率が悪くなると共に、製品出荷時には該脱落防止スリーブ７の分だけ部品点数が増えてコスト高になるという問題がある。
【０００６】
従って、本発明の目的は上記課題を解消することに係り、脱落スリーブを用いることなくころの内径側への脱落を防止することができるころ軸受を提供することである。
【０００７】
【課題を解決するための手段】
本発明の上記目的は、円筒状の保持器本体の周方向に沿って複数のポケットが形成されると共に該保持器本体の軸方向両端部からそれぞれ径方向内方に一対のフランジ部が延設された保持器と、前記各ポケットに転動可能に保持されるころとを備えたころ軸受であって、
前記両フランジ部には、前記ポケット間の柱部に対応する先端縁部分を軸方向内方に向かって突出するように曲げ形成し、前記ころの転動面より外側の両端部分を保持する保持部が形成されていることを特徴とするころ軸受により達成される。
【０００８】
上記構成によれば、保持器の両フランジ部には、ポケット間の各柱部に対応する先端縁部分を軸方向内方に向かって突出するように曲げ形成し、ころの転動面より外側の両端部分を保持する保持部が形成されているので、該保持器はころの内径側への脱落を防止することができる。
【０００９】
そこで、ころ軸受の内径側に脱落防止スリーブを嵌め込んで、ころが保持器の内径側に脱落するのを防止する必要がない。
又、前記保持部は、ポケット間の各柱部に対応するフランジ部の先端縁部分を軸方向内方に向かって突出するように曲げ形成するだけで構成することができるので、簡単な曲げ加工でよく、製造コストの上昇を招くことがない。
【００１０】
【発明の実施の形態】
以下、添付図面に基づいて本発明の一実施形態に係るころ軸受を詳細に説明する。
図１は本発明の一実施形態に係るころ軸受を説明するための部分破断斜視図であり、図２は図１に示したころ軸受の部分正面図であり、図３は図２に示したころ軸受のＢ−Ｂ線断面矢視図であり、図４は図２に示したころ軸受のＣ方向矢視図である。
【００１１】
本実施形態のころ軸受１０は、図１乃至図４に示したように、円筒状の保持器本体１１の周方向に沿って複数のポケット１２が形成されると共に該保持器本体１１の軸方向両端部（図３中、左右方向両端部）からそれぞれ径方向内方に一対のフランジ部１３，１３が延設された保持器１４と、前記各ポケット１２に転動可能に保持されるころ１５とを備えている。
【００１２】
前記ころ１５は、図３に示したように、転動面より外側の両端部分の端面形状が平面とされ、転動面と端面との境部１５ａにはＲ状の面取りが施されている。
前記両フランジ部１３，１３には、前記ポケット１２，１２間の各柱部１６に対応する先端縁部分を軸方向内方に向かって突出するように曲げ形成し、前記ころ１５の転動面より外側の両端部分を保持する保持部２０が形成されている。
【００１３】
即ち、前記両フランジ部１３，１３には、前記ころ１５の両端部分における境部１５ａの保持器内径側で当接するように曲げ形成した保持部２０が形成されている。
この保持部２０は、図２に示したように軸方向正面から見て内径側が拡がる略三角形状を成し、図３に示したように外径側から内径側に向かって徐々に深くなるように曲げ成形されており、該保持部２０の内壁面が各ころ１５の両端部分における境部１５ａの保持器内径側で当接する。
【００１４】
尚、前記保持部２０は、ポケット１２，１２間の各柱部１６に対応するフランジ部１３の先端縁部分を軸方向内方に向かって突出するように曲げ形成するだけで構成することができるので、簡単な曲げ加工でよく、製造コストの上昇を招くことがない。
【００１５】
そこで、前記各ころ１５を保持器１４の内径側から両フランジ部１３，１３間に挿入する際には、両保持部２０，２０間を拡げるように該保持部２０及びフランジ部１３を弾性変形させながら各ころ１５を組入（例えば、圧入が好ましい）する。
この際、各ころ１５の境部１５ａにはＲ状の面取りが施されているので、スムーズな組入れが可能である。又、前記保持部２０は、各ころ１５の境部１５ａに当接するので、組入れ時にころ１５の転動面に接触して傷つける虞はない。
【００１６】
そして、両フランジ部１３，１３間に挿入後は、図２乃至図４に示したように、ころ１５の両端部分が保持部２０に保持され、ある程度の外力が作用しなければ該ころ１５が保持器１４から脱落することはない。
また、前記保持部２０は、各ころ１５の転動面より外側の両端部分における境部１５ａを保持しており、軸受使用時も前記保持器２０の内壁面がころ１５の転動面に接触することはないので、該転動面が保持部２０により傷つけられる虞もない。
【００１７】
即ち、本実施形態のころ軸受１０によれば、保持器１４の両フランジ部１３，１３には、ポケット１２，１２間の各柱部１６に対応する先端縁部分を軸方向内方に向かって突出するように曲げ形成し、ころ１５の両端部分における境部１５ａを保持する保持部２０が形成されているので、該保持器１４はころ１５の内径側への脱落を防止することができる。
そこで、本実施形態のころ軸受１０は、図５及び図６に示した従来のころ軸受１のように内径側に脱落防止スリーブ７を嵌め込んで、ころ６が保持器５の内径側に脱落するのを防止する必要がない。
【００１８】
従って、出荷時に脱落防止スリーブを装着する必要がなく、部品点数が減ると共に装着作業が不要となってコスト低減を図ることができる。
又、前記ころ軸受１０を軸等に組み込む時にも、該ころ軸受１０の内径側から脱落防止スリーブを外す手間が省け、作業効率が向上する。
【００１９】
尚、本発明のころ軸受における保持器やころ等の構成は、上記実施形態の構成に限定されるものではなく、本発明の趣旨に基づいて種々の形態を採りうることは言うまでもない。
例えば、上記実施形態では、端面形状が平面とされたころ１５を採用し、該ころ１５の転動面より外側の両端部分である境部１５ａをフランジ部１３の保持部２０で保持するようにしたが、これに限定されず、端面形状が丸面や球面とされたころを用い、転動面より外側の両端部分をフランジ部に設けた保持部で保持するように構成することもできる。
又、本発明のころ軸受としては、例えば針状ころ軸受が好ましいが、円錐ころ軸受でも良い。
【００２０】
【発明の効果】
以上に説明したように、本発明のころ軸受によれば、保持器の両フランジ部には、ポケット間の各柱部に対応する先端縁部分を軸方向内方に向かって突出するように曲げ形成し、ころの転動面より外側の両端部分を保持する保持部が形成されているので、該保持器はころの内径側への脱落を防止することができる。
【００２１】
そこで、ころ軸受の内径側に脱落防止スリーブを嵌め込んで、ころが保持器の内径側に脱落するのを防止する必要がない。
又、前記保持部は、ポケット間の各柱部に対応するフランジ部の先端縁部分を軸方向内方に向かって突出するように曲げ形成するだけで構成することができるので、簡単な曲げ加工でよく、製造コストの上昇を招くことがない。
【００２２】
従って、出荷時に脱落防止スリーブを装着する必要がなく、部品点数が減ると共に装着作業が不要となってコスト低減を図ることができる。又、前記ころ軸受を軸等に組み込む時にも、該ころ軸受の内径側から脱落防止スリーブを外す手間が省け、作業効率が向上する。
【図面の簡単な説明】
【図１】本発明の一実施形態に係るころ軸受を説明するための部分破断斜視図である。
【図２】図１に示したころ軸受の部分正面図である。
【図３】図２に示したころ軸受のＢ−Ｂ線断面矢視図である。
【図４】図２に示したころ軸受のＣ方向矢視図である。
【図５】従来のころ軸受を説明する為の部分拡大正面図である。
【図６】図５に示したころ軸受のＡ−Ａ線断面矢視図である。
【符号の説明】
１０　ころ軸受
１１　保持器本体
１２　ポケット
１３　フランジ部
１４　保持器
１５　ころ
１６　柱部
２０　保持部
【図１】
2004076801.tif 000003
【図２】
2004076801.tif 000004
【図３】
2004076801.tif 000005
【図４】
2004076801.tif 000006
【図５】
2004076801.tif 000007
【図６】
2004076801.tif 000008